(57)【要約】【課題】  プラグインアダプタの機器取付板への取り付け、取り外しが容易なネジ式ブレーカをプラグインブレーカに変換するためのプラグインアダプタを提供する。【解決手段】  ネジ式ブレーカをプラグインブレーカに変換するアダプタであって、盤面に対して垂直方向に段積みした主幹バーに盤面に対して水平方向から接続できるプラグイン端子にネジ式ブレーカ２のネジ端子を変換するプラグ端子ユニット部１１と、盤面に添って取り付けた機器取付板に、ネジ式ブレーカ２を搭載し、前記主幹バーに対して進退自在に水平に移動して着脱できるスライド規制取付板部１２とを一体に形成する。【選択図】  図１
2006230134.tif 000002
【特許請求の範囲】
【請求項１】
ネジ式ブレーカをプラグインブレーカに変換するアダプタであって、盤面に対して垂直方向に段積みした主幹バーに盤面に対して水平方向から接続できるネジ式ブレーカのネジ端子をプラグイン端子に変換するプラグ端子ユニット部と、盤面に添って取り付けた機器取付板にネジ式ブレーカを搭載し、前記主幹バーに対して進退自在に水平に移動して着脱できるスライド規制取付板部とを一体に形成したことを特徴とするプラグインアダプタ。
【請求項２】
スライド規制取付板部の取付板本体に付与した弾性により、該取付板本体の後端に設けた係止爪をネジ式ブレーカの後面に設けた係止凹部に係止させてネジ式ブレーカをスライド規制取付板部に搭載した請求項１に記載のプラグインアダプタ。
【請求項３】
スライド規制取付板部とプラグ端子ユニット部とを分離可能とした請求項１に記載のプラグインアダプタ。
【請求項４】
スライド規制取付板部に機器取付板との抜け止め用係止部を一体に形成し、該抜け止め用係止部は上方に撓み可能に機器取付板の係止孔に係合させた係止構造とした請求項１又２のいずれかに記載のプラグインアダプタ。
【請求項５】
プラグ端子ユニット部のプラグイン端子金具を１８０度回動させることにより相切り替え可能とし、該相切り替えによる相や電圧の表示を１８０度回動させたプラグイン端子金具に設けるとともに切り替え規制のための端子カバーを透明にした請求項１、２又４のいずれかに記載のプラグインアダプタ。
【発明の詳細な説明】
【技術分野】
【０００１】
本発明は、ネジ式ブレーカをプラグインブレーカに変換するためのプラグインアダプタに関するものである。
【背景技術】
【０００２】
従来、ネジ式ブレーカをプラグインブレーカに変換するプラグインアダプタは、プラグ端子ユニット部とネジ式ブレーカに取り付けただけであり、機器取付板への取り付けは、ネジ式ブレーカの後端下方に設けた係止孔に、機器取付板に設けた弾性金属よりなる引っ掛け爪をその弾性を利用して係止して取り付けるものであった。しかし、このようなものは取付部の機器取付板への取り付けは、プラグイン端子を主幹バーに嵌め込みながら行うので、アダプタ付ブレーカの後端側を機器取付板の上方から押圧するように行うこととなり、プラグイン端子を主幹バーに対して斜め上方からこじるように嵌合することとなる。このためプラグイン端子に無理な荷重がかかり変形して接続不良をおこす虞があり、また、弾性を利用した引っ掛け爪での機器取付板への取付は衝撃が加わったときに引っ掛け爪が取り外し方向に撓み外れやすいといった問題がある。
【０００３】
また、ネジ式ブレーカ下部にスライド取付部材を取り付け、機器取付板への取り付けを主幹バーに向けてスライドさせる方式により行い、プラグイン端子に無理な荷重がかからないものとしたものもある（例えば、特許文献１参照）。しかしながら、これは、プラグ端子ユニット部とスライド取付部材を別異なものとしており、スライド取付部材の機器取付板への取付固定は、スライド取付部材の下面に設けた係止爪を機器取付板に設けた長孔にスライド方式にて係止させており、スライド取付部材とネジ式ブレーカは、ネジ式ブレーカの前端下方に設けた取付部にスライド取付部材の前端に設けた弾性変形可能な金属製引っ掛け爪を係止して取り付けているため、衝撃が加わったときに、スライド取付部材の引っ掛け爪がネジ式ブレーカの取付部から外れやすいといった問題がやはり残されていた。これを解決するため金属製引っ掛け爪の弾性を強固とすると取り付け、取り外しが面倒であるという問題がある。
【特許文献１】特許第３３８２１１５号公報（図６、図７）
【発明の開示】
【発明が解決しようとする課題】
【０００４】
本発明は前記のような問題点を解決して、機器取付板への取付を主幹バーの方向にスライドさせる方式により行うことができるうえ、機器取付板への取り付け、取り外しが容易で衝撃で外れることのない、ネジ式ブレーカをプラグインブレーカに変換するためのプラグインアダプタを提供することである。
【課題を解決するための手段】
【０００５】
本発明のプラグインアダプタは、ネジ式ブレーカをプラグインブレーカに変換するアダプタであって、盤面に対して垂直方向に段積みした主幹バーに盤面に対して水平方向から接続できるプラグイン端子にネジ式ブレーカのネジ端子を変換するプラグ端子ユニット部と、盤面に添って取り付けた機器取付板に、ネジ式ブレーカを搭載し、前記主幹バーに対して進退自在に水平に移動して着脱できるスライド規制取付板部とを一体に形成したことを特徴とするものを請求項１に係る発明とする。そして、この請求項１に係る発明において、スライド規制取付板部の取付板本体に付与した弾性により、該取付板本体の後端に設けた係止爪をネジ式ブレーカの後面に設けた係止凹部に係止させてネジ式ブレーカをスライド規制取付板部に搭載したものを請求項２に係る発明とする。
【０００６】
また、前記請求項１に係る発明において、スライド規制取付板部とプラグ端子ユニット部とを分離可能としたものを請求項３に係る発明とし、また、前記請求項１又は２に係る発明において、スライド規制取付板部に機器取付板との抜け止め用係止部を一体に形成し、該抜け止め用係止部は上方に撓み可能に機器取付板の係止孔に係合させた係止構造としたものを請求項４に係る発明とする。さらに、前記請求項１、２又は４に係る発明において、プラグ端子ユニット部のプラグイン端子金具を１８０度回動させることにより相切り替え可能とし、該相切り替えによる相や電圧の表示を１８０度回動させたプラグイン端子金具に設けるとともに切り替え規制のための端子カバーを透明にしたものを請求項５に係る発明とする。
【発明の効果】
【０００７】
請求項１に係る発明は、盤面に対して垂直方向に段積みした主幹バーに盤面に対して水平方向から接続できるプラグイン端子にネジ式ブレーカのネジ端子を変換するプラグ端子ユニット部と、盤面に添って取り付けた機器取付板に、ネジ式ブレーカを搭載し、前記主幹バーに対して進退自在に水平に移動して着脱できるスライド規制取付板部とを一体に形成したものであるから、ネジ式ブレーカをスライド規制取付板部に搭載することによりプラグ端子ユニット部も同時に装着されることとなるので取付作業が容易であり、また、一体であることにより部品点数が少なくなり在庫管理が容易なものとなるものである。
【０００８】
また、請求項２に係る発明は、ネジ式ブレーカにプラグ端子ユニット部を取り付け、スライド規制取付板部の取付板本体をその弾性により下方に向け湾曲するように撓ませてプラグ端子ユニット部と後端に設けた係止爪との間隔を広げてネジ式ブレーカを搭載したうえ撓みを解除することにより前後の係止爪がネジ式ブレーカの前後面に設けた係止凹部に係止するので取り付けできるものである。また、取り外しは係止爪に外側に向け力を加えると取付板本体がその弾性により下方に向け湾曲して撓み係止凹部への係止が解除され、ネジ式ブレーカを取り外すことができるので着脱が容易である。また、機器取付板へ取り付けた後は機器取付板の上面にスライド規制取付板部の下面が当接して規制されるのでスライド規制取付板部がブレーカの取り外し方向に撓むことが無くブレーカが外れることの無いものである。
【０００９】
また、請求項３に係る発明は、スライド規制取付板部とプラグ端子ユニット部とを分離可能としたものであるので、プラグ端子ユニット部を取り外すことにより、スライド規制取付板部にタイマー、計測器等の機器類を取り付けて、アダプタ付ブレーカと同様に機器取付板に取り付けできるものである。なお、タイマー、計測器等は主幹ブレーカと主幹バーとを接続する導電部材の主幹バーとの接続部より電線等により電源を得る。
【００１０】
また、請求項４に係る発明は、スライド規制取付板部に機器取付板との抜け止め用係止部を一体に形成し、該抜け止め用係止部は上方に撓み可能に機器取付板の係止孔に係合させた係止構造としたものであるから、機器取付板への装着時に抜け止め用係止部が機器取付板の上面に位置する状態にあっては該抜け止め用係止部のみが上方に押し上げられるだけで、スライド規制取付板部を傾けることがないので水平にスライドさせてプラグ端子ユニット部の端子が主幹バーに接続完了時に抜け止め用係止部を機器取付板に係止できるものである。また、係止解除用操作片を操作することにより抜け止め用係止部が解除方向に撓み係止用孔との係止を解除するので取り外しは容易なものである。
【００１１】
さらに、請求項５に係る発明は、相切り替え可能であり、また、切り替えた相や電圧の表示がカバーを介して視認できるものである。
【発明を実施するための最良の形態】
【００１２】
次に、本発明の好ましい実施の形態を図面に基づき説明する。
【００１３】
〔第１の実施形態〕
先ず、第１の実施形態を図１〜図１７に示す協約型のスリム規格の２Ｐ用のネジ式ブレーカをプラグインブレーカに変換するプラグインアダプタにより説明する。
１はネジ式ブレーカ２をプラグインブレーカに変換するアダプタである。このアダプタ１は、ネジ式ブレーカ２のネジ端子２１、２１を図１７に示す分電盤の盤面に対して垂直方向に段積みした主幹バー３に盤面に対して水平方向から接続できるプラグイン端子に変換するプラグ端子ユニット部１１と、ネジ式ブレーカ２を搭載して盤面に添って取り付ける、図７、図８に示すような機器取付板４に前記主幹バー３に対して進退自在に水平に移動して着脱できるスライド規制取付板部１２とを一体に形成したものである。
【００１４】
このように、プラグ端子ユニット部１１とスライド規制取付板部１２とを一体としたものであるから、スライド規制取付板部１２に２Ｐ用のネジ式ブレーカ２を搭載することによりプラグ端子ユニット部１１も図２に示すように同時にネジ式ブレーカ２に装着されることとなり、プラグ端子ユニット部１１部分のみを２Ｐ用のネジ式ブレーカ２に取付保持するための手段が不要で部品点数が少なくなり在庫管理が容易なものである。
【００１５】
また、前記プラグ端子ユニット部１１は、その下方の後端をスライド規制取付板部１２の前端に肉薄連結部１１ａを介して分離可能として一体に立設したプラグホルダー１１１に２個のプラグイン端子金具１１２、１１２を保持させたものであるから、該プラグ端子ユニット部１１を図５に示すように分離することにより、スライド規制取付板部１２にタイマー、計測器等の機器類の取付部材として使用して計測器等を機器取付板４に取り付けできるものである。タイマー、計測器等は主幹ブレーカと主幹バー３とを接続する導電部材８の主幹バー３との接続部より電線等により電源を得る。なお、前記２個のプラグイン端子金具１１２、１１２はスライド規制取付板部１２に装着する２Ｐ用のネジ式ブレーカ２の電源側となるネジ端子２１、２１と電気的に接続する手段を設けている。すなわち、図６に示すようにプラグホルダー１１１を上下に分割できるものとして分割端面間の後方側に２個のネジ端子２１、２１に対応した接続金具１１３、１１３を挟み込み、また、プラグイン端子金具１１２を取り付けるための分割端面間の前側に軸孔部を形成したプラグイン端子金具取付部材１１４が１８０度回動できるように軸支して相切り替えできるものとして、前記接続金具１１３の基端に形成した垂直片部１１３ａとプラグイン端子金具１１２が電線等で電気的に接続されており、プラグイン端子金具１１２が１８０度回動しても接続できるように組込んでいる。
【００１６】
また、前記スライド規制取付板部１２は、適度な強度と弾性を備えた合成樹脂材よりなる薄板状の取付板本体１２１の前後端の上方に係止爪１２２、１２３を設けてある。これにより、薄板状の取付板本体１２１をその弾性により下方に向け湾曲するように撓ませると前後の係止爪１２２、１２３の間が開拡するので、図４に示すように前記ネジ式ブレーカ２を取付板本体１２１に上方から挿入できる状態となるので該取付板本体１２１に載置した後にて撓みを解除することにより、前後の係止爪１２２、１２３がネジ式ブレーカ２の前後端面下方に設けた係止凹部２２、２２に係合して、取付板本体１２１に付与した弾性によりネジ式ブレーカ２を取り付けることができる。このように取付板本体１２１に付与した弾性によりネジ式ブレーカ２を取り付けたものであるから前後の係止爪１２２、１２３自体に弾性を持たせることを不要とするものである。なお、適度な強度と弾性を備えた合成樹脂材としては、ポリフェニレンエーテル樹脂が好ましいが、これに限定されることなくポリアミド樹脂、ポリカーボネイト樹脂、ポリエチレン樹脂等であってもよい。さらに、撓み易くするため薄板状の取付板本体１２１に抜け孔１２４を設けることがより好ましい。
【００１７】
ネジ式ブレーカ２を搭載したスライド規制取付板部１２の機器取付板４への取り付けは、スライド規制取付板部１２の薄板状の取付板本体１２１の下面に突設した前後の左右の取付突起１２５、１２５を機器取付板４に設けた平行に隣り合う取付孔４１、４１の主幹バー３に向かって後方の拡大孔部４１ａ、４１ａから挿入して前方にスライドさせて前方の小径孔部４１ｂ、４１ｂの孔縁に形成したレール部４２、４２に該取付突起１２５、１２５に内向きに設けた鉤部１２５ａ、１２５ａを係止させることにより行う。また、スライド規制取付板部１２の後方へのスライド規制はスライド規制取付板部１２の後端に一体に形成した抜け止め用係止部１２６を機器取付板４に設けた係止孔４３の後方孔縁４３ａに該抜け止め用係止部１２６に付与した撓みを利用して係合するので、ネジ式ブレーカ２を搭載したスライド規制取付板部１２を盤面に添って取り付けた機器取付板４に前記主幹バー３に対して進退自在に水平に移動して着脱できるものである。
【００１８】
なお、前記抜け止め用係止部１２６は、図９、図１０、図１１に示すようにスライド規制取付板部１２の後端に連設した張出部１２７に上下方向に貫通させた枠孔部１２８の後部孔辺１２８ａに連結部１２９により撓み可能に一体に連設した操作片１２６ａの前方に連設した平板部１２６ｂの先端下方に鉤部１２６ｃ付の係止片１２６ｄを設けたものとしている。そして、スライド規制取付板部１２が前方にスライドさせる前である係止片１２６ｄの鉤部１２６ｃが前記機器取付板４に設けた係止孔４３に係合しない機器取付板４の上面に位置する状態にあっては、図９に示すように操作片１２６ａと後枠板部１２８ａとの間の連結部１２９の撓みにより抜け止め用係止部１２６のみを上方に押し上げるだけであるから、２Ｐ用のネジ式ブレーカ２を装着したスライド規制取付板部１２が傾くことなく水平にスライドさせてプラグ端子ユニット部１１を主幹バー３に装着できるものである。
【００１９】
また、ネジ式ブレーカ２を装着したアダプタ１を機器取付板４から取り外すには、前記操作片１２６ａの上端を後側に押圧すれば図１０に示すよう係止片１２６ｄの鉤部１２６ｃが前記機器取付板４に設けた係止孔４３から外れるので、ネジ式ブレーカ２を装着したアダプタ１を後方にスライドさせれば、プラグ端子ユニット部１１が主幹バー３から外れるとともに、取付板本体１２１の下面に突設した前後の左右の取付突起１２５、１２５の鉤部１２５ａ、１２５ａがレール部４２、４２との係合が解かれるとともに取付突起１２５、１２５を上方に抜け出すことのできる取付孔４１、４１の後方の拡大孔部４１ａ、４１ａに位置するので機器取付板４から容易に取り外しできるものである。
【００２０】
前記プラグ端子ユニット部１１は、プラグホルダー１１１に保持させた２個のプラグイン端子金具取付部材１１４に取り付けたプラグイン端子金具１１２の一方のプラグイン端子金具１１２ａを上下にＬ１相、Ｎ相、Ｌ２相と絶縁を確保して段積した主幹バー３、３、３のうちＮ相とＬ１相、Ｌ２相のどちらか一方と相切り替えできる構成とし、他方のプラグイン端子金具１１２ｂを、Ｌ１相とＬ２相に相切り替え可能と構成して、１００Ｖ及び２００Ｖの配線と相バランスのとれた配線を行うことができるものとしている。
【００２１】
そして、相切り替え可能としたプラグ端子金具１１２に相や電圧の表示を設けている。すなわち、電圧表示としては、図１４に示すものは１００Ｖ配線の場合には一方のプラグイン端子金具１１２ａを中央のＮ相と、他方のプラグイン端子金具１１２ｂをＬ１相、Ｌ２相のどちらかに接続するように切り替えて、一方のプラグイン端子金具１１２ａが上方から見える位置を無表示としてこの無表示であることを視認して１００Ｖ配線を確認する手段とし、２００Ｖ配線の場合には一方のプラグイン端子金具１１２ａをＮ相からＬ１相、Ｌ２相のどちらか一方に接続して該一方のプラグイン端子金具１１２ａが上方から見える位置に２００Ｖ表示をするものとしている。なお、電圧表示の変わりに相表示してもよいことは勿論である。また、前記プラグイン端子金具１１２の相切り替え可能とする手段は、図１２、図１３に示すようにプラグ端子金具１１２をプラグホルダー１１１に対して上下方向に１８０度回動できるように取り付けたものである。
【００２２】
５はプラグホルダー１１１の上端両側にヒンジ接続して該ヒンジを支点にプラグホルダー１１１の前面を開閉する端子カバーである。この端子カバー５は前記切り替え表示が視覚により認識できる透明なポリカーボネイト樹脂よりなるものとしている。そして、該端子カバー５は前面板５１と両側板部５２、５２と中央隔壁板部５３に前記Ｌ１相、Ｎ相、Ｌ２相の主幹バー３、３、３が介入して前記相切り替え可能としたプラグイン端子金具１１２が臨む切込み孔５ａを上下に３個を設けていることは勿論、前記相切り替え可能としたプラグイン端子金具１１２とプラグイン端子金具取付部材１１４が回動することなく切り替え位置に固定するためにプラグイン端子金具１１２の両側に当接する回動規制用突起５ｂ及びプラグイン端子金具取付部材１１４に当接する回動規制用突起５ｃを図１５に示すように両側板部５２、５２と中央隔壁板部５３に設けている。なお、この端子カバー５は開状時においてプラグイン端子金具１１２の相切り替えを行うものであるから、開状時に端子カバー５が自重により閉じることのないように開状保持手段を設けてある。また、この実施形態にあっては端子カバー５をヒンジにより開閉するものであるが、着脱できるものとしてもよい。
【００２３】
さらに、前記プラグ端子ユニット部１１のプラグホルダー１１１の上部両側後方に切り取り自在とした側隔壁１１１ａを設け、該側隔壁１１１ａを搭載したネジ式ブレーカ２の上部の切欠部２ａに嵌合する形状としてネジ式ブレーカ２の端子部の絶縁を向上させるものとしている。なお、側隔壁１１１ａは前記したとおり、切り取り自在としたものであるので、該側隔壁１１１ａが嵌合できない形状のネジ式ブレーカ２を搭載した場合には図１６に示すように側隔壁１１１ａを切り取ることにより対応できるものである。
【００２４】
〔第２の実施形態〕
次に、第２の実施形態を図１８から図２２に示す３Ｐ用のネジ式ブレーカをプラグインブレーカに変換するプラグインアダプタにより説明する。
図１８において、１は協約型の３Ｐ用のネジ式ブレーカ２をプラグインブレーカに変換するアダプタである。このアダプタ１は、図１８に示す分電盤の盤面に対して垂直方向に段積みした主幹バー３に盤面に対して水平方向から接続できるプラグイン端子にネジ式ブレーカ２のネジ端子を変換するプラグ端子ユニット部１１と、盤面に添って取り付けた機器取付板４にネジ式ブレーカ２を搭載し、前記主幹バー３に対して進退自在に水平に移動して着脱できるスライド規制取付板部１２とを一体に形成したものである。このようにプラグ端子ユニット部１１とスライド規制取付板部１２とを一体としたものであるから、スライド規制取付板部１２に３Ｐ用のネジ式ブレーカ２を搭載することによりプラグ端子ユニット部１１も自動的にネジ式ブレーカ２ａに装着されることとなり、プラグ端子ユニット部１１部分のみを３Ｐ用のネジ式ブレーカ２に取付保持するための手段が不要で部品点数が少なくなり在庫管理が容易なものである。また、前記第１の実施形態と同様に、スライド規制取付板部１２とプラグ端子ユニット部１１とを分離可能とすれば、プラグ端子ユニット部１１を取り外すことにより、スライド規制取付板部１２にタイマー、計測器等の機器類を取り付けて、機器取付板４に取り付けできるものである。
【００２５】
前記プラグ端子ユニット部１１には３Ｐ用のネジ式ブレーカ２の３極の電源側のネジ端子に対応する３個のプラグイン端子金具１１２、１１２、１１２がそれぞれＬ１相、Ｎ相、Ｌ２相の３本の主幹カバーの何れか一本と装着できるように図１９に示すように設けられている。なお、３個のプラグイン端子金具１１２、１１２、１１２は３Ｐ用のネジ式ブレーカ２の電源側となる３極のネジ端子と電気的に接続する手段を設けていることは勿論である。
【００２６】
また、前記スライド規制取付板部１２は、適度な強度と弾性を備えた合成樹脂材よりなる３Ｐ用のネジ式ブレーカ２と同幅とした薄板状の取付板本体１２１の前後端に前記第１の実施形態と同様の係止爪１２２、１２３を設けたものである。そして、前記第１の実施形態と同様に、薄板状の取付板本体１２１をその弾性により下方に向け湾曲するように撓ませて前後の係止爪１２２、１２３の間を開拡させて、ネジ式ブレーカ２を取付板本体１２１に上方から挿入して該取付板本体１２１に載置した後に撓みを解除して前後の係止爪１２２、１２３がネジ式ブレーカ２の前後端面下方に設けた係止凹部２２、２２に係合して、取付板本体１２１に付与した弾性によりネジ式ブレーカを取り付けるものである。
【００２７】
スライド規制取付板部１２の機器取付板４への取り付けは、スライド規制取付板部１２の薄板状の取付板本体１２１の下面に突設した前後の左右の取付突起１２５、１２５を機器取付板４に設けた横方向に平行させて多数配設した取付孔４１のうち所要の間隔をおいた、すなわち左右の取付突起１２５、１２５が対応する２個の取付孔４１の後方の拡大孔部４１ａ、４１ａから挿入して前方にスライドさせて前方の小径孔部４１ｂ、４１ｂの孔縁に形成したレール部４２、４２に該取付突起１２５、１２５に内向きに設けた鉤部１２５ａ、１２５ａを係止させて行う。また、スライド規制取付板部１２の後方へのスライド規制はスライド規制取付板部１２の後端に一体に形成した抜け止め用係止部１２６を機器取付板４に設けた係止孔４３の後方孔縁４３ａに該抜け止め用係止部１２６に付与した撓みを利用して係合している。
【００２８】
前記抜け止め用係止部１２６は、ネジ式ブレーカ２と同幅とした幅広なスライド規制取付板部１２の後端に連設した幅広な張出部１２７に前記第１の実施形態で説明した図９、図１０、図１１に示すものと同様に貫通させた枠孔部１２８の後部孔辺１２８ａに撓み可能に一体に連設した操作片１２６ａの前方に連設した平板部１２６ｂの先端下方に鉤部１２６ｃ付の係止片１２６ｄを設けたものとしており、その作用も同じである。なお、この抜け止め用係止部１２６は３Ｐ用のネジ式ブレーカ２の負荷の３極の端子部間の絶縁隔壁が臨む箇所に設けることが絶縁上好ましい。
【００２９】
また、前記幅広な張出部１２７にドライバー挿通孔１３０を設けたものとするとともに、機器取付板４にドライバー先端係止孔４４を設けたものとすると、３Ｐ用のネジ式ブレーカ２を搭載したアダプタ１を主幹バー３への装着する際に、スライド規制取付板部１２を機器取付板４上面に載置して抜け止め用係止部１２６のみが弾性変形して上方に移動している状態で、ドライバー挿通孔１３０にドライバー７を挿通し、ドライバー７の先端を機器取付板４に設けたドライバー先端係止孔４４に係合させて、該ドライバー７を取付方向である主幹バー側に向けて倒すとドライバー７の軸部がドライバー挿通孔１３０の主幹バー側の孔縁に当接して、ネジ式ブレーカ２を搭載したアダプタ１を主幹バー側に移動してプラグ端子ユニット部１１が主幹バーに装着される。このときに同時に前記取付突起１２５、１２５に内向きに設けた鉤部１２５ａ、１２５ａがレール部４２、４２に係止したうえ、抜け止め用係止部１２６が機器取付板４に設けた係止孔４３の後方孔縁４３ａに係止するものである。
【００３０】
また、ネジ式ブレーカ２を搭載したアダプタ１を機器取付板４から取り外す時には、ドライバー７をドライバー挿通孔１３０に挿通し、ドライバー７の先端を機器取付板４に設けたドライバー先端係止孔４４に係合させて、該ドライバー７を主幹バー側と反対方向に向けて倒すと、ドライバー７の軸部がドライバー挿通孔１３０の主幹バー側とは反対側の孔縁に当接して、ネジ式ブレーカ２を搭載したアダプタ１を主幹バー側から水平方向に引き外すことができる。この場合には同時に抜け止め用係止部１２６の機器取付板４に対する係止を解除することは勿論である。
【００３１】
また、図２０に示すようにドライバー挿通孔１３０を前記抜け止め用係止部１２６すなわち平板部１２６ｂにドライバー挿通孔１３０を設けたものとすると、３Ｐ用のネジ式ブレーカ２を搭載したアダプタ１を主幹バーへの装着する際に、スライド規制取付板部１２を機器取付板４上面に載置して抜け止め用係止部１２６のみが弾性変形して上方に移動している状態でドライバー挿通孔１３０にドライバー７を挿通し、ドライバー７の先端を機器取付板４に設けたドライバー先端係止孔４４に係合させて、該ドライバー７を図２１に示す状態から取付方向である主幹バー側に向けて倒すと、ネジ式ブレーカ２を搭載したアダプタ１が主幹バー側に移動してプラグ端子ユニット部１１が主幹バーに装着されるとともに前記取付突起１２５、１２５に内向きに設けた鉤部１２５ａ、１２５ａがレール部４２、４２に係止したうえ、抜け止め用係止部１２６が機器取付板４に設けた係止孔４３の後方孔縁４３ａに係止して上下及び水平方向の移動を規制されて図２２に示すように取り付けられることとなる。
【００３２】
また、ネジ式ブレーカ２を搭載したアダプタ１を機器取付板４に取り外す時には、ドライバー７をドライバー挿通孔１３０に挿通し、ドライバー７の先端を機器取付板４に設けたドライバー先端係止孔４４に係合させて、該ドライバー７を主幹バー側と反対方向に向けて倒すと、抜け止め用係止部１２６が上方に移動して機器取付板４に設けた係止孔４３の後方孔縁４３ａとの係止を解除するとともに、ネジ式ブレーカ２を搭載したアダプタ１が機器取付板４の後方側に移動してプラグ端子ユニット部１１が主幹バーからはずれたうえ取付突起１２５、１２５に内向きに設けた鉤部１２５ａ、１２５ａのレール部４２、４２への係止が解除されるのでネジ式ブレーカ２を搭載したアダプタ１が機器取付板４から取り外すことができる。
【００３３】
このようにドライバー７をもって、３Ｐ用のネジ式ブレーカ２を搭載したアダプタ１を機器取付板４に着脱できる構成とすると、挟持力の強い３Ｐサイズのプラグ端子ユニット部１１と主幹バー３との着脱作業が容易となるものである。
【図面の簡単な説明】
【００３４】
【図１】第１の実施形態のアダプタとネジ式ブレーカを示す斜視図。
【図２】第１の実施形態のネジ式ブレーカをアダプタに搭載した状態を示す斜視図。
【図３】第１の実施形態のネジ式ブレーカをアダプタに搭載した状態を示す下方側からの斜視図。
【図４】第１の実施形態のネジ式ブレーカをアダプタに搭載する過程を示す斜視図。
【図５】第１の実施形態のアダプタのスライド規制取付板部とプラグ端子ユニット部とを分離した状態を示す斜視図。
【図６】第１の実施形態のアダプタを示す分解斜視図。
【図７】第１の実施形態のスライド規制取付板部を機器取付板に取り付ける前の状態を示す斜視図。
【図８】第１の実施形態のスライド規制取付板部を機器取付板に取り付けた状態を示す斜視図。
【図９】抜け止め用係止部が機器取付板の係止孔に係止する前の状態を示す概略側断面図。
【図１０】抜け止め用係止部が機器取付板の係止孔に係止した状態を示す概略側断面図。
【図１１】抜け止め用係止部が機器取付板の係止孔との係止を解除する状態を示す概略側断面図。
【図１２】カバーを開状態とした状態を示す斜視図。
【図１３】カバーを開状態として相切り替え状態を説明する斜視図。
【図１４】電圧表示を示す図であり、（Ａ）は１００Ｖ配線状態、（Ｂ）は２００Ｖ配線状態を示す平面図。
【図１５】カバーを示す斜視図。
【図１６】側隔壁を切り取って種々のネジ式ブレーカに対応できる状態を示す斜視図。
【図１７】分電盤に使用した状態を示す斜視図。
【図１８】第２の実施形態を示す斜視図。
【図１９】第２の実施形態を示す正面図。
【図２０】第２の実施形態の他例を示す斜視図。
【図２１】第２の実施形態の他例を分電盤に取り付ける過程を示す斜視図。
【図２２】第２の実施形態の他例を分電盤に取り外す過程を示す斜視図。
【符号の説明】
【００３５】
１  アダプタ
11  プラグ端子ユニット部
112  プラグイン端子金具
12  スライド規制取付板部
126  抜け止め用係止部
２  ネジ式ブレーカ
３  主幹バー
４  機器取付板
【図１】
2006230134.tif 000003
【図２】
2006230134.tif 000004
【図３】
2006230134.tif 000005
【図４】
2006230134.tif 000006
【図５】
2006230134.tif 000007
【図６】
2006230134.tif 000008
【図７】
2006230134.tif 000009
【図８】
2006230134.tif 000010
【図９】
2006230134.tif 000011
【図１０】
2006230134.tif 000012
【図１１】
2006230134.tif 000013
【図１２】
2006230134.tif 000014
【図１３】
2006230134.tif 000015
【図１４】
2006230134.tif 000016
【図１５】
2006230134.tif 000017
【図１６】
2006230134.tif 000018
【図１７】
2006230134.tif 000019
【図１８】
2006230134.tif 000020
【図１９】
2006230134.tif 000021
【図２０】
2006230134.tif 000022
【図２１】
2006230134.tif 000023
【図２２】
2006230134.tif 000024